(57)【要約】【課題】ボウル内の汚れを確実に除去したり、ボウル内に汚れが生じることを確実に抑制したりすることができ、剤の消費量を抑えることができ、経済的な便器装置を提供することを課題とする。【解決手段】洗浄水を便器１のボウル２内へ供給する洗浄水供給手段を備える。前記洗浄水に洗浄作用又は殺菌作用の少なくともいずれか一方を有する剤を混入する剤混入手段を備える。気温測定手段６を備える。気温測定手段６にて測定した気温が高い場合に気温が低い場合と比べて洗浄水に混入する剤の量が多くなるように前記剤混入手段を制御する制御手段７を備える。【選択図】図１
2010077675.tif 000002
【特許請求の範囲】
【請求項１】
洗浄水を便器のボウル内へ供給する洗浄水供給手段と、前記洗浄水に洗浄作用又は殺菌作用の少なくともいずれか一方を有する剤を混入する剤混入手段と、気温測定手段を備え、気温測定手段にて測定した気温が高い場合に気温が低い場合と比べて洗浄水に混入する剤の量が多くなるように前記剤混入手段を制御する制御手段を備えることを特徴とする便器装置。
【請求項２】
前記洗浄水に気体を混入する気体混入手段を備えることを特徴とする請求項１に記載の便器装置。
【発明の詳細な説明】
【技術分野】
【０００１】
本発明は、洗浄作用や殺菌作用を有する剤を混入した洗浄水をボウル内へ供給する便器装置に関する。
【背景技術】
【０００２】
従来、便器のボウル内を洗浄するために、例えば特許文献１のように、洗剤や薬剤を含む洗浄液をボウル内へ供給する便器装置が知られている。
【０００３】
ところで、夏季など気温が高い場合には微生物の活動が活発となり、便器のボウル内においては微生物に起因する汚れが生じやすい。また、このようにボウル内に汚れが生じた場合には、洗浄液に洗剤や薬剤等の剤を多量に含ませることで、前記ボウル内の汚れは除去することは可能であるが、この場合は剤の使用量が増して経済的ではない。
【特許文献１】特開２００８−２１３８号公報
【発明の開示】
【発明が解決しようとする課題】
【０００４】
本発明は上記従来の問題点に鑑みてなされたものであって、ボウル内の汚れを確実に除去したり、ボウル内に汚れが生じることを確実に抑制したりすることができ、且つ、剤の消費量を抑えることができる便器装置を提供することを課題とする。
【課題を解決するための手段】
【０００５】
上記課題を解決するために請求項１に係る便器装置は以下の構成を有している。洗浄水を便器１のボウル２内へ供給する洗浄水供給手段を備える。前記洗浄水に洗浄作用又は殺菌作用の少なくともいずれか一方を有する剤を混入する剤混入手段を備える。気温測定手段６を備える。気温測定手段６にて測定した気温が高い場合に気温が低い場合と比べて洗浄水に混入する剤の量が多くなるように前記剤混入手段を制御する制御手段７を備える。
【０００６】
また、請求項２に係る便器装置は、請求項１において以下の構成を有している。前記洗浄水に気体を混入する気体混入手段を備える。
【発明の効果】
【０００７】
請求項１に係る発明は、気温測定手段にて測定した気温が高い場合に気温が低い場合と比べて洗浄水に混入する剤の量が多くなるように前記剤混入手段を制御するものである。このため、気温が高く微生物の活動が活発となる時には、ボウル内に供給される洗浄水に含まれる剤の量を増加させ、ボウル内に洗浄効果や殺菌効果の高い洗浄液を供給することができ、ボウル内の汚れを確実に除去したり、ボウル内に汚れが生じることを確実に抑制したりすることができる。また、気温が低くボウル内に微生物の活動に起因する汚れが生じ難い時には、ボウル内に供給される洗浄水に含まれる剤の量を低減させ、剤の消費量を抑えることができ、経済的である。
【０００８】
また請求項２に係る発明では、請求項１の効果に加えて、気体混入手段により洗浄水に気体を混入することで、ボウル内に剤を混入した気泡を含む洗浄水を供給することができる。この気泡を含む洗浄水は、気泡の破裂、気泡の界面への汚れの吸着効果などにより洗浄力の高いものであるため、より一層ボウル内を綺麗に洗浄することができる。また、洗浄水に気泡が含まれることにより、洗浄水の嵩比重が低減し、洗浄水の使用量を抑えることができる。
【発明を実施するための最良の形態】
【０００９】
以下、本発明の実施形態を添付図面に基づいて説明する。
【００１０】
図１に示す本実施形態の一例の便器装置は、ボウル２を備えた便器１と、便座４と、便蓋５を具備し、さらに、洗浄水を便器１のボウル２内へ供給する洗浄水供給手段と、洗浄水に洗浄作用又は殺菌作用の少なくともいずれか一方を有する剤を混入する剤混入手段と、気温を測定する気温測定手段６と、洗浄水供給手段や剤混入手段を制御する制御手段７を具備している。
【００１１】
洗浄水供給手段は、水道から水が供給される給水路８で構成されている。便器１に設けられた給水路８の下流側端部にはボウル２内に臨む洗浄用ノズル９が設けてある。また、給水路８の洗浄用ノズル９よりも上流側には電磁弁からなる開閉弁１０が設けられており、開閉弁１０を開くことで、水道から給水路８に供給された水が洗浄水として洗浄用ノズル９からボウル２内に吐出され、該洗浄水によりボウル２の内面が洗浄される。
【００１２】
剤混入手段は、便器１に設けられた液状の洗剤又は薬剤からなる剤を貯めるタンク１１と洗浄用ノズル９を連通接続させる剤供給路１２と、剤供給路１２の途中に設けられてタンク１１内の剤を剤供給路１２を介して洗浄用ノズル９に供給するポンプ１３とで構成されている。剤供給路１２のポンプ１３よりも下流側には逆止弁１５が設けられている。
【００１３】
タンク１１に貯留される剤は、洗浄作用を有する界面活性剤等の洗浄剤、又は殺菌作用を有する殺菌剤、あるいはその両方を含む洗剤又は薬剤からなる。この剤は図中１４に示すタンク１１に設けられた剤投入口からタンク１１内に投入される。
【００１４】
剤混入手段は、前述の洗浄水供給手段によるボウル２内への洗浄水の供給時にポンプ１３を運転することにより、給水路８の洗浄用ノズル９を流れる洗浄水にタンク１１内の剤を供給できるようになっている。したがって、この場合は、洗浄作用及び／又は殺菌作用を有する剤を洗浄水に混入してなる洗浄液をボウル２内に吐出し、この洗浄効果や殺菌効果を高めた洗浄液によってボウル２の内面を効果的に洗浄することができる。
【００１５】
また、前記剤混入手段は、運手時におけるポンプ１３の出力を変更することにより、洗浄水に混入する剤の量（洗浄液中の剤の濃度）を変更できるようにしてある。
【００１６】
気温測定手段６は便器１に設けられた温度センサからなり、トイレ室内の気温を測定する。該気温測定手段６と前記ポンプ１３はマイコン等で構成される制御手段７に電気的に接続され、以下に示すように制御される。
【００１７】
制御手段７は、前述のように洗浄水供給手段及び剤混入手段により、剤を混入した洗浄水をボウル２内に吐出する時において、気温測定手段６により測定したトイレ室内の気温が高い場合に気温が低い場合と比べて洗浄水に混入する剤の量が多くなるようにポンプ１３の出力を変更するものである。
【００１８】
具体的には、以下の表１に示すように、洗浄液の吐出の際に気温測定手段６により測定された気温が、１０℃未満である低温域と、１０℃以上且つ２０℃未満である中温域と、２０℃以上である高温域の３段階に区分され、これにより気温測定手段６により測定した気温が中温域に属する場合にはポンプ１３が標準出力で運転されて洗浄水への剤の混入量が標準量に設定され、低温域に属する場合にはポンプ１３が低出力で運転されて剤の混入量が少量に設定され、高温域に属する場合にはポンプ１３が高出力で運転されて剤の混入量が多量に設定される。
【００１９】
【表１】
2010077675.tif 000003
【００２０】
上記により、微生物の活動が活発となるトイレ室内の気温が高い時程、ボウル２内に供給される洗浄水に含まれる剤の量を自動で増加させ、ボウル２内に洗浄効果や殺菌効果の高い洗浄液を供給することができる。したがって、トイレ室内の気温が高い時にはボウル２内の汚れを確実に除去したり、ボウル２内に汚れが生じることを確実に抑制したりすることができる。また、トイレ室内の気温が低い時には、ボウル２内に供給される洗浄水に含まれる剤の量を自動で低減させ、剤の消費量を抑えることができる。
【００２１】
次に上記一例の便器装置とは異なる他例の便器装置について説明する。なお以下の他例の説明では一例の便器装置と同一の構成については同一の番号を付与し、重複する説明は省略する。
【００２２】
図２に示す他例の便器装置は前記洗浄水に気体を混入する気体混入手段を具備している。
【００２３】
気体混入手段は一端が大気開放されると共に他端が洗浄用ノズル９の剤供給路１２との接続部分よりも上流側に接続された気体供給路１６で構成されている。気体供給路１６には逆止弁１７が設けられている。
【００２４】
洗浄水供給手段によるボウル２内への洗浄水の供給時には、洗浄用ノズル９を流れる洗浄水により気体供給路１６との接続部分において負圧が発生し、これによるエジェクター効果により気体供給路１６から給水路８の洗浄用ノズル９を流れる洗浄水にトイレ室内の空気が供給される。そして、このように洗浄水に空気を供給することにより、洗浄水中には気泡が発生し、該気泡を含む洗浄水が洗浄用ノズル９よりボウル２内に向けて吐出される。
【００２５】
また、前述のように洗浄水供給手段及び剤混入手段により、剤を混入した洗浄水をボウル２内に吐出する時にあっても、同様に給水路８を流れる洗浄水に空気が供給され、この結果、洗浄用ノズル９からは剤が混入され且つ気泡を含む洗浄水がボウル２内に向けて吐出される。
【００２６】
前記気泡を含む洗浄水は、剤を混入していないもの及び混入したもののいずれにおいても、気泡の破裂、気泡の界面への汚れの吸着効果などにより洗浄力が高いものとなる。このため、より一層ボウル２内を綺麗に洗浄することができる。また、洗浄水に気泡が含まれることにより、洗浄水の嵩比重が低減し、洗浄水の使用量を抑えることができる。
【００２７】
なお、本例の気体混入手段は空気を洗浄水に供給するものであるが、気体混入手段により洗浄水に供給される気体は空気以外の気体であっても良いものとする。
【００２８】
次に更に他例の便器装置を示す。なお、以下の説明では前記他例の便器装置と同一の構成については同一の番号を付与し、重複する説明は省略する。
【００２９】
図３に示す更に他例の剤混入手段は、タンク１１内の剤を循環させるための流路となる便器１に設けられた循環路１８と、該循環路１８及び給水路８の洗浄用ノズル９を接続する接続路２０と、循環路１８に設けられてタンク１１内の剤を循環路１８において循環させ、この循環する剤の一部を接続路２０を介して洗浄用ノズル９に供給する循環ポンプ１９とで構成されている。接続路２０には逆止弁２１が設けられている。なお、図３では気温測定手段６及び制御手段７の図示を省略している。
【００３０】
また、前記剤混入手段は、前記循環ポンプ１９の出力を変更することで、循環路１８を流れる剤の圧力を変更し、これにより洗浄水に混入する剤の量を変更できるようになっている。
【００３１】
なお、本例の便器装置には他例と同様に気体混入手段が設けられているが、該気体混入手段は設けなくても良いものとする。
【００３２】
また、前記各例の便器装置は、ポンプ１３の出力を変更することにより、洗浄水に混入される剤の量を変更するものであるが、剤の混入量を変更する手段としてはこれに限定されない。一例としては、剤供給路１２に電動の流量調整弁を設け、該流量調整弁の開度を制御手段により調節することが挙げられる。
【００３３】
また、前記各例では、気温測定手段６により測定した気温を１０℃及び２０℃の閾値で３段階の温度域に区分し、これに基づいて剤の混入量を変更したが、前記閾値や区分数は限定されるものではない。つまり、洗浄水に混入される剤の量は、気温測定手段６により測定した気温に基づいて、気温が高い時程洗浄水に含まれる剤の量が多くなるよう２段階以上で変更されるものであれば良い。
【図面の簡単な説明】
【００３４】
【図１】本発明の実施形態の一例の便器装置を示す説明図である。
【図２】他例の便器装置を示す説明図である。
【図３】更に他例の便器装置を示す説明図である。
【符号の説明】
【００３５】
１  便器
２  ボウル
６  気温測定手段
７  制御手段
【図１】
2010077675.tif 000004
【図２】
2010077675.tif 000005
【図３】
2010077675.tif 000006